(57)【要約】      （修正有）【課題】健康保険証と臓器提供意思表示カードを併設し、臓器提供の意思並びに提供する臓器の種類を記載した秘密情報記載欄を改ざん不可とするとともに目視不可としたカードを提供する。【解決手段】カード台紙１にカード２枚分の大きさを有するカード用紙材２を分離可能に設ける。カード用紙材２は二つ折りしてカードを形成するものであって、二つ折りされたカードの裏面側に中央折込み線４により区画された一方に秘密情報記載欄１３を設け、他方に接合部材積載層１４を設ける。接合部材積載層１４は、透明な２枚のプラスチックフィルム１４１，１４２を剥離可能で再剥離不可に接着した擬似接着面１４３を備えており、秘密情報記載欄１３にカード保持者の特別情報を記載したのち当該秘密情報記載欄１３に接合部材積載層１４を接着してカードを形成する。【選択図】図３
0003161443.tif 000002
【実用新案登録請求の範囲】
【請求項１】
カード台紙（１）にカード２枚分の大きさを有するカード用紙材（２）を分離可能に設け、該カード用紙材は二つ折りしてカード（１０）を形成するものであって、二つ折りされたカードの裏面側に中央折込み線（４）により区画された一方の部材に秘密情報記載欄（１３）を設け、他方の部材に接合部材積載層（１４）を設け、該接合部材積載層は、透明な２枚のプラスチックフィルム（１４１，１４２）を剥離可能で再剥離不可に接着した擬似接着面（１４３）を備えており、上記秘密情報記載欄にカード保持者の秘密情報を記載したのち当該秘密情報記載欄に上記接合部材積載層を接着してカードを形成することを特徴とする台紙付きカード。
【請求項２】
カード（１０）が、健康保険証と臓器提供意思表示カードが併設されたものであって、二つ折りしたカードの表面側に中央折込み線（４）により区画された一方の部材をカード名称記載面（１１）とし、他方の部材をカードに関する注意事項記載面（１２）とし、上記カード名称記載面に「健康保険被保険者証」の表題とともに氏名、住所、生年月日、保険証の番号など保険証の必要事項を記載し、上記注意事項記載面に健康保険証の注意事項を記載するとともに、上記カード名称記載面及び注意事項記載面のいずれか一方の面に当該カードが「臓器提供意思表示カード」であることを記載することを特徴とする請求項１に記載の台紙付きカード。
【請求項３】
カード用紙材（２）は、カード台紙（１）に外側輪郭線となる輪郭切込み線（３）によって分離可能に設けられており、当該輪郭切込み線が、四隅部を除く他の部分がマイクロカットによるミシン目で形成されていることを特徴とする請求項１または２に記載の台紙付きカード。
【請求項４】
カード用紙材（２）は、当該カード用紙材を二つ折りしてカード（１０）を形成したとき、カードの表面となる面に補強フィルム（１５）を貼着したことを特徴とする請求項１から３のいずれかに記載の台紙付きカード。
【考案の詳細な説明】
【技術分野】
【０００１】
本考案は、台紙付きカードに関しており、さらに詳しくは、カード保持者の特別な意思を記載した記載面を改ざん不可とすると共に、当該記載面を目視不可としたカードを作成するための台紙付きカードに関するものである。
【背景技術】
【０００２】
臓器提供の意思表示カードは知られており、臓器提供者（カード保持者）が、カードを常時携帯していることにより、臓器提供者が死亡した時に、直ちに提供者の意思に基づいて臓器を他人に移植することが行われている。ただし、臓器の提供は、提供される臓器の種類が提供者の意思によって選択的になされているので、提供する臓器がカード上で明確に表示されている必要があるが、一方で、臓器提供者は提供する臓器を他人に知られたくないという実情もある。
【０００３】
なお、臓器の提供は、臓器提供者の特別な意思であるから、提供者の意思と異なる臓器の提供は許されないものである。
【０００４】
本願考案者は、臓器提供意思表示カードを開発し、提供する臓器を記載した記載面にラミネート加工を施すことによって、臓器提供者が、自己が提供する臓器の記載面を改ざん不可とした台紙付きラミネートカードを特許文献１により提案した。
【０００５】
特許文献１に記載された台紙付きラミネートカードは、健康保険証に臓器提供意思表示カードが連接されたものであって、カード台紙（１）に、カード３枚分の大きさを有するカード用紙（２）を剥離可能で再剥離不可に接着し、該カード用紙（２）が、カード表紙（１０）、カード裏紙（２０）、付加カード（３０）の三つに区画形成されており、このうち、カード表紙（１０）及びカード裏紙（２０）が「健康保険証」となり、付加カード（３０）が「臓器提供意思表示カード」となるものである。
【０００６】
上記付加カード（３０）には、特別情報記載欄（３１）を設けるとともに、カード用紙（２）の全面にプラスチックフィルム（６）を接着するのであるが、その際、上記特別情報記載欄（３１）となる面に、当該特別情報記載欄（３１）に相当する大きさの中間剥離紙（３３）を介在させた状態で当該プラスチックフィルム（６）を接着する。なお、特別情報記載欄（３１）は、臓器提供者が提供する臓器の種類を明確にするものであって、提供する臓器の種類を記載するとともに、本人自筆の署名欄、署名年月日などが設けられている。
【０００７】
臓器提供意思表示カードを作成するには、カード台紙（１）からカード用紙（２）を剥離し、次いでカード用紙（２）とプラスチックフィルム（６）との間に介在させた中間剥離紙（３３）を剥離して特別情報記載欄（３１）を露出し、当該特別情報記載欄（３１）に提供する臓器の種類を記載するとともに、提供者本人が自筆の署名をなし、さらに、署名年月日を記載してプラスチックフィルム（６）を元の位置に接着する。
【０００８】
臓器提供者は、カード上において、臓器提供の意思があること並びに提供する臓器の種類を明確にすることができるのであるが、特許文献１に記載された臓器提供意思表示カードは、提供する臓器の種類を記載した特別情報記載欄（３１）の記載面がラミネート加工されているので、改ざん不可になっているとは言え、当該情報記載欄の記載事項が第三者であっても読み取れる構造であるから、臓器提供の意思及び提供する臓器の種類などが他人に知られてしまうものであり、臓器提供者にとって必ずしも好ましいカードであるとは言えないものであった。
【先行技術文献】
【特許文献】
【０００９】
【特許文献１】実用新案登録第３１４１１９１号公報
【考案の概要】
【考案が解決しようとする課題】
【００１０】
本考案が解決しようとする課題は、カード保持者の特別な意思を記載した秘密情報記載欄を改ざん不可とするとともに目視不可としたカードを作成するための台紙付きカードを提供することである。
【００１１】
本考案が解決しようとする他の課題は、カードが、健康保険証と臓器提供意思表示カードが併設されたものであり、臓器提供の意思並びに提供する臓器の種類を記載した秘密情報記載欄を改ざん不可とするとともに目視不可としたカードを作成するための台紙付きカードを提供することである。
【課題を解決するための手段】
【００１２】
解決手段の第１は、カード台紙にカード２枚分の大きさを有するカード用紙材を分離可能に設け、該カード用紙材は二つ折りしてカードを形成するものであって、二つ折りされたカードの裏面側に中央折込み線により区画された一方の部材に秘密情報記載欄を設け、他方の部材に接合部材積載層を設け、当該接合部材積載層は、透明な２枚のプラスチックフィルムを剥離可能で再剥離不可に接着した擬似接着面を備えており、上記秘密情報記載欄にカード保持者の秘密情報を記載したのち当該秘密情報記載欄に上記接合部材積載層を接着してカードを形成することを特徴とするものである。
【００１３】
解決手段の第２は、解決手段の第１において、カードが、健康保険証と臓器提供意思表示カードが併設されたものであって、二つ折りしたカードの表面側に中央折込み線により区画された一方の部材をカード名称記載面とし、他方の部材をカードに関する注意事項記載面とし、上記カード名称記載面に「健康保険被保険者証」の表題とともに氏名、住所、生年月日、保険証の番号など保険証の必要事項を記載し、上記注意事項記載面に健康保険証の注意事項を記載するとともに、上記カード名称記載面及び注意事項記載面のいずれか一方の面に当該カードが「臓器提供意思表示カード」であることを記載することを特徴とするものである。
【００１４】
解決手段の第３は、解決手段の第１または第２において、カード用紙材が、カード台紙に対して外側輪郭線となる輪郭切込み線によって分離可能に設けられており、当該輪郭切込み線が、四隅部を除く他の部分がマイクロカットによるミシン目で形成されていることを特徴とするものである。
【００１５】
解決手段の第４は、解決手段の第１から第３のいずれかにおいて、カード用紙材が、当該カード用紙材を二つ折りしてカードを形成したとき、カードの表面となる面に補強フィルムを貼着したことを特徴とするものである。
【考案の効果】
【００１６】
請求項１は、カード用紙材がカード２枚分の大きさを有しており、中央折込み線により区画された一方の部材に秘密情報記載欄を設け、他方の部材に接合部材積載層を設けるとともに、当該接合部材積載層が２枚の透明なプラスチックフィルムを剥離可能で再剥離不可に形成した擬似接着面を備えており、カード用紙材を中央折込み線から谷折りしてカードを作成したとき、秘密情報記載欄に記載したカード保持者の情報が改ざん不可であるとともに目視不可となるので、秘密情報記載欄に記載した情報を他人に知られるおそれがないものとなる他、接合部材積載層に設けた擬似接着面を剥離することにより当該秘密情報記載欄に記載された情報を読み取ることができることの効果を奏するものである。
【００１７】
請求項２は、カードが、健康保険証と臓器提供意思表示カードが併設されたものであるから、常時携帯している健康保険証に臓器提供の意思表示がなされているので、カード保持者が死亡したとき、直ちに臓器提供の意思ならびに提供される臓器を確認することができるので、カード保持者が臓器提供の意思を表示していれば、臓器移植を迅速に行うことができることの効果を奏するものである。
【００１８】
請求項３は、カード台紙からカード用紙材を分離する輪郭切込み線がマイクロカットによる細かなミシン目により接続されているので、カード用紙材は、カード台紙から分離するまでは当該カード台紙に一体的に形成されているので、カード用紙材に対する印字作業等がし易いことの効果を奏することの他、輪郭切込み線がマイクロカットのミシン目であるから、カード用紙材を二つ折りしてカードを作成したとき、カードの周縁部分はフルカットされた場合と変わらず滑らかなものとなる効果を奏する。
【００１９】
請求項４は、カード用紙材の表面に補助フィルムを貼着したものであるから、カードの表面がラミネート加工されたものとなり、カード使用中に生ずるカードの損傷を防止し得る効果を奏するものである。
【図面の簡単な説明】
【００２０】
【図１】本考案に係る台紙付きカードを示す正面図。
【図２】図１の裏面図。
【図３】図２におけるＡ−Ａ線の断面図。
【図４】カード用紙材をカード台紙から分離し接合部材積載層の剥離紙を除去した状態を示す断面図。
【図５】カード用紙材を二つ折りしてカードを形成した状態を示す断面図。
【図６】カードの擬似接着面を剥離した状態を示す断面図。
【図７】一部を破断した状態を示すカードの斜視図。
【考案を実施するための形態】
【００２１】
図１から図３において、１はカード台紙であって、カード２枚分の大きさを有するカード用紙材２を切り取るための輪郭切込み線３が設けられており、該カード用紙材２は、上記輪郭切込み線３に沿ってカード台紙１から分離し、中央折込み線４に沿って二つ折りしてカード１０を形成するものである。
【００２２】
上記カード用紙材２は、二つ折りしてカードを形成したとき、四隅部にアール状が出現するように、見開き状態において四隅部及び中央折込み線４の両端部にアール状面取り部３ａを形成している（図１，図２）。なお、上記輪郭切込み線３は、アール状面取り部３ａがフルカットによる切込みであって、他の部分は、マイクロカットと称する細かなミシン目による切込みである。因みに、実施形態におけるマイクロカットは、スリット（切離された部分）の長さが０．３５ｍｍ、タイ（繋がっている部分）の長さが０．１５ｍｍ程度のものである。
【００２３】
図１に示す面が、カード用紙材２の表面であって、当該カード用紙材２を二つ折りしたときカード１０の表面となるものである。カード用紙材２の表面は、中央折込み線４により区画された一方の部材をカード名称記載面１１とし、他方の部材をカードに関する注意事項記載面１２としている。
【００２４】
また、図２において、カード用紙材２の裏面は、中央折込み線４により区画された一方の部材に秘密情報記載欄１３を設け、他方の部材に接合部材積載層１４を設けたものであって、これら秘密情報記載欄１３及び接合部材積載層１４は、中央折込み線から二つ折りしてカード１０を形成したときカードの内側面となるものである。図３を参照して、上記接合部材積載層１４は、２枚のプラスチックフィルム１４１，１４２を剥離可能で再剥離不可に接着した擬似接着面１４３を有している。
【００２５】
カード１０の作成は、まず、図４に示すように、カード用紙材２をカード台紙１から分離し、秘密情報記載欄１３にカード保持者の特定秘密情報１５を記載する。接合部材積載層１４の表面に設けられている剥離紙１４６を除去し、次いで、図５に示すように、当該カード用紙材２を中央折込み線４から谷折りして二つ折りし、接合部材積載層１４の第２の粘着剤１４５を秘密情報記載欄１３の記載面に接着する。なお、秘密情報記載欄１３に記載された特定秘密情報１５は、カード１０が中央折込み線４に沿って二つ折りされているので、改ざん不可で目視不可であるが、図６に示すように、接合部材積載層１４の擬似接着面１４３を剥離することにより読み取り可能となるものである。
【００２６】
本明細書において「剥離可能で再剥離不可の擬似接着面」とは、２枚のプラスチックフィルムを密着状態で接着したものであって、密着しているプラスチックフィルムによる擬似接着面は剥離可能であるが、いったん剥離すると再度接着させることができない構造をいう。したがって、擬似接着面が密着状態を維持している限り秘密情報記載欄１３に記載された特定秘密情報１５は、改ざん不可であることは勿論のこと目視不可であって、当該秘密情報記載欄１３に記載された記載内容を読み取ることができないものである。
【００２７】
ここで、図３を参照して、接合部材積載層１４の詳細な構造を説明する。接合部材積載層１４は、透明な第１のプラスチックフィルム１４１に透明な第２のプラスチックフィルム１４２を剥離可能で再剥離不可に接着して擬似接着面１４３を形成し、上記第１のプラスチックフィルム１４１を第１の粘着剤１４４によってカード用紙材２に接着し、また、上記第２のプラスチックフィルム１４２に第２の粘着剤１４５を塗布するとともに、当該第２の粘着剤１４５の塗布面に剥離紙１４６を接着したものである。
【００２８】
なお、上記擬似接着面１４３は、第１及び第２のプラスチックフィルム１４１，１４２の種類を異にするものであって、接着した時は、接着時の密着状態を保持しているが、接着面をいったん剥離した後は再度密着させることはできないものとなる。
【実施例１】
【００２９】
第１の実施形態におけるカードは、健康保険証と臓器提供意思表示カードを兼用したものである。カード名称記載欄１１には「健康保険被保険者証」の表題とともに、被保険者の氏名、生年月日、住所、保険証の有効期限、保険証の番号等を記載し、また、注意事項記載欄１２には、健康保険被保険者証についての注意事項等を記載する。
【００３０】
また、上記注意事項記載欄１２には、このカードが「臓器提供意思表示カード」であることを表示するとともに、剥離位置を示したうえで、例えば「カードを剥離すれば臓器提供の意思並びに提供される臓器が記載されている」といった文言等を記載する。ただし、カードが「臓器提供意思表示カード」であることを示す表示箇所は、注意事項記載欄１２に特定されないことは勿論である。
【００３１】
上記秘密情報記載欄１３には、提供したい臓器の種類を明確にするとともに、提供者本人の自筆署名欄、家族の自筆署名欄、署名年月日等を設ける。
【００３２】
カード台紙１は、図１，２に示すようにカード用紙材２が分離されていない状態で、カード名称記載欄１１に氏名、住所、生年月日等をプリンタにより印字した後、カード台紙１ごと受取人へ送付される。ここで、カード台紙１を受け取った受取人は、カード用紙材２をカード台紙１から分離し、次いでカード用紙材２の秘密情報記載欄１３に、臓器提供の意思、提供したい臓器の種類などの特定秘密情報１５を記載し、本人及び家族が自筆署名をするとともに署名した年月日を記載する。
【００３３】
なお、提供したい臓器の意思表示は、例えば、臓器の種類を予め記載しておき、提供者が提供したい臓器に○印を付すようにしてもよい。
【００３４】
秘密情報記載欄１３に、臓器提供の意思並びに提供したい臓器が明確に表示されたら、接合部材積載層１４の表面に設けた剥離紙１４６を剥がし、カード用紙材２を中央折込み線４から谷折りして第２のプラスチックフィルム１４２に塗布した第２の粘着剤１４５の塗布面を上記秘密情報記載欄１３に貼着する。これにより、図７に示すように、「健康保険被保険者証」としてのカード１０が形成される。ここで、カード用紙材２を切り離すための輪郭切込み線４がマイクロカットによるミシン目であるから、カード台紙１から分離されたカード用紙材２の周縁部、すなわち、カード１０の周縁部はフルカットと同様に滑らかなものとなっている。
【００３５】
また、カード１０は、カード用紙材２を二つ折りにして接着しているので、秘密情報記載欄１３に記載した特定秘密情報１５は、カードに形成された時点で改ざん不可となるだけでなく目視不可となり、接合部材積載層１４の擬似接着面１４３を剥離しない限り当該秘密情報記載欄１３に記載した情報を読み取ることはできない。
【００３６】
カード保持者が死亡した時は、接合部材積載層１４の擬似接着面１４３を剥離すれば秘密情報記載欄１３に記載された特定秘密情報１５を確認することができる。擬似接着面１４３を構成する第１及び第２のプラスチックフィルム１４１，１４２は、いずれも透明フィルムであるから、当該擬似接着面１４３を剥離すれば、第２のプラスチックフィルム１４２を介して秘密情報記載欄１３に記載された特定秘密情報１５を読み取ることができる（図５）。秘密情報記載欄１３に、臓器提供の意思が表示されていれば、提供される臓器を移植用に利用することができるものとなる。
【実施例２】
【００３７】
第２の実施形態におけるカードは、図３を参照して、カード用紙材２を中央折込み線４に沿って二つ折りしてカード１０を形成したときに、カード１０の表面がラミネート加工されたものと同様の効果を奏する補強フィルム１６を第３の粘着剤１７によって貼着したものである。
【００３８】
カード素材が上質紙などの場合は、使用頻度にもよるが、早い時期に損傷するおそれが生ずるので、カード素材の表面にラミネート加工を施すことで長期の使用に耐えるカードが得られることになる。
【符号の説明】
【００３９】
１  カード台紙
２  カード用紙材
３  輪郭切込み線
４  中央折込み線
１０  カード
１１  カード名称記載面
１２  注意事項記載面
１３  秘密情報記載欄
１４  接合部材積載層
１４１  第１のプラスチックフィルム
１４２  第２のプラスチックフィルム
１４３  擬似接着面
１４４  第１の粘着剤
１４５  第２の粘着剤
１４６  剥離紙
１５  特定秘密情報
１６  補強フィルム
１７  第３の粘着剤
【図１】
0003161443.tif 000003
【図２】
0003161443.tif 000004
【図３】
0003161443.tif 000005
【図４】
0003161443.tif 000006
【図５】
0003161443.tif 000007
【図６】
0003161443.tif 000008
【図７】
0003161443.tif 000009